(57)【特許請求の範囲】
【請求項１】
履物用のソールであって、
少なくとも１つの受け部を含むソール部品と、
前記受け部内に嵌まる調節可能なクッションインサートと
を備え、
該クッションインサート及び前記受け部の少なくとも一方は少なくとも１つの突起を有し、前記クッションインサートは、少なくとも２つの異なる向きで前記受け部に嵌まり該受け部内で前記ソールの底部に実質的に垂直に延びる軸を中心に前記少なくとも２つの異なる向き間を回転することが可能であり、前記クッションインサートが第１の向きのときに前記少なくとも１つの突起は前記ソールに第１の緩衝特性を与え、前記クッションインサートが第２の向きのときに前記少なくとも１つの突起は前記ソールに第２の緩衝特性を与え、前記ソールの前記第１の緩衝特性及び前記第２の緩衝特性の調節が、前記クッションインサートを前記第１の向き及び前記第２の向きの所望の１つの向きで前記受け部に選択的に嵌めることによって行われ得るソール。
【請求項２】
前記ソール部品は、インソールと、ミッドソールと、ヒールウェッジと、アウトソールとのうちの少なくとも１つとしてさらに画定される、請求項１に記載のソール。
【請求項３】
前記受け部は実質的に円形状である、請求項１に記載のソール。
【請求項４】
前記受け部は境界面を含み、
前記クッションインサートは境界面を含み、
前記受け部の境界面は、前記クッションインサートの境界面と係合するように延びる突起を有する、請求項１に記載のソール。
【請求項５】
前記受け部は境界面を含み、
前記クッションインサートは境界面を含み、
前記クッションインサートの境界面は、前記受け部の境界面と係合するための突起を有する、請求項１に記載のソール。
【請求項６】
前記クッションインサートの境界面は、前記受け部の境界面上の前記突起と噛み合い係合する突起を有する、請求項４に記載のソール。
【請求項７】
前記突起の少なくとも１つは、サイズ、形状、及び硬度の少なくとも１つが少なくとも１つの他の突起とは異なる、請求項６に記載のソール。
【請求項８】
前記クッションインサート及び前記受け部の前記突起は、基本的に、起伏と、隆起と、丸い突出部とから成る群から選択される、請求項７に記載のソール。
【請求項９】
前記クッションインサートの境界面と前記ソール部品の境界面との間に配置される支持層をさらに含む、請求項６に記載のソール。
【請求項１０】
前記支持層は、前記クッションインサート及び前記ソール部品のうちの少なくとも一方に取り付けられる、請求項９に記載のソール。
【請求項１１】
前記受け部は、前記ソール部品の上面内に形成される、請求項１に記載のソール。
【請求項１２】
前記クッションインサートは、実質的にディスク形状である、請求項１に記載のソール。
【請求項１３】
前記受け部は、前記クッションインサートを前記受け部内で前記異なる向きの両方の向きに位置合わせするための位置合わせ手段をさらに含む、請求項１に記載のソール。
【請求項１４】
前記位置合わせ手段は、
前記クッションインサート及び前記ソール部品のうちの少なくとも一方にある開口と、
前記クッションインサート及び前記ソール部品のうちの他方から延びる支柱と
を含み、
該支柱は、前記受け部内で前記クッションインサートを位置合わせさせるために前記開口に嵌まる、請求項１３に記載のソール。
【請求項１５】
前記受け部は、前記ソールの底面内に形成される、請求項１に記載のソール。
【請求項１６】
前記ソール部品はヒール領域を含み、前記受け部が前記ヒール領域に位置付けられる、請求項１に記載のソール。
【請求項１７】
前記クッションインサートの突起及び前記ソール部品の突起のうちの少なくとも一方は、前記軸を中心に延びる複数の波状起伏を含む、請求項１２に記載のソール。
【請求項１８】
前記クッションインサートの突起及び前記ソール部品の突起のうちの少なくとも一方は、前記軸を中心に規則的な角度断面を通って延びる複数の波状起伏を含む、請求項１２に記載のソール。
【請求項１９】
アッパーと、
該アッパーに固定されるソールと
を備え、
該ソールは、ソール部品及び該ソール部品と嵌まり合うクッションインサートを含み、前記ソール部品は境界面を含み、前記クッションインサートは、前記ソール部品の境界面と接する境界面を含み、前記ソール部品の境界面及び前記クッションインサートの境界面の少なくとも一方は少なくとも１つの突起を有し、前記クッションインサートは、該クッションインサートの軸を中心に回転することにより、少なくとも第１の向きと第２の向きとの間で前記ソール部品に関して調節可能であり、前記クッションインサートの境界面は実質的に前記クッションインサートの軸に垂直であり、前記少なくとも１つの突起は、前記クッションインサートが前記第１の向きにあるときに前記ソールに第１の緩衝特性を与え、前記少なくとも１つの突起は、前記クッションインサートが前記第２の向きにあるときに前記ソールに前記第１の緩衝特性とは異なる第２の緩衝特性を与えることにより、前記ソールは、前記ソール部品に関する前記クッションインサートを前記ソールの底部に実質的に垂直に延びる軸を中心に回転させることによって、前記第１の緩衝特性と前記第２の緩衝特性との間で容易に調節可能である靴。
【請求項２０】
前記ソール部品は、前記クッションインサートと係合する受け部を含み、該受け部は、複数の突起を有する境界面を含み、前記クッションインサートの境界面は、前記受け部の境界面の前記複数の突起と噛み合い係合する複数の突起を有する、請求項１９に記載の靴。
【請求項２１】
前記受け部は軸を含み、前記受け部の突起は、前記軸を中心に規則的な角度断面を通って延びる複数の起伏を含む、請求項２０に記載の靴。
【請求項２２】
前記クッションインサートの突起は、前記クッションインサートの軸を中心に延びる複数の起伏を含む、請求項２１に記載の靴。
【請求項２３】
前記クッションインサートの起伏の少なくとも１つは、サイズ、形状、又は硬度が前記クッションインサートの起伏の少なくとも１つの他の起伏とは異なることにより、前記クッションインサートを前記受け部内で前記軸を中心に回転させることで前記ソールの特性が変わる、請求項２２に記載の靴。
【請求項２４】
前記クッションインサートは、少なくとも回外の向きと回内の向きとの間で前記受け部に関して可動である、請求項２３に記載の靴。
【請求項２５】
前記クッションインサートは、少なくとも、回外に関連する問題に対処するための回外の向きと、回内に関連する問題に対処するための回内の向きと、標準の向きと、硬めの向きとの間で前記受け部に関して可動である、請求項２３に記載の靴。
【請求項２６】
前記ソールは、前記クッションインサートと前記ソール部品との間に配置される支持層を含み、
該支持層は、前記クッションインサートの起伏及び前記受け部の起伏に形状が対応する、請求項２３に記載の靴。
【請求項２７】
前記ソールは、
前記クッションインサート及び前記ソール部品のうちの少なくとも一方にある開口と、
前記クッションインサート及び前記ソール部品のうちの他方から延びる支柱と
を含み、
該支柱は、前記ソール部品に関して前記クッションインサートを位置合わせさせるために前記開口に嵌まる、請求項２３に記載の靴。
【請求項２８】
ソール組立体であって、
空洞を画定するミッドソールであって、該空洞は、該空洞の軸及び該空洞の軸を中心に規則的な角度断面を通って波打つ複数の波を有する境界面を有するミッドソールと、
前記空洞に嵌まるクッションインサートであって、実質的にディスク形状であると共に該クッションインサートの軸を有するクッションインサートと
を備え、
該クッションインサートは、前記空洞の前記境界面と係合する境界面を有し、前記クッションインサートの前記境界面は、前記クッションインサートの軸を中心に規則的な角度断面を通って波打つ複数の波を有し、前記クッションインサートの波は、前記空洞の波と噛み合い、前記クッションインサートは、前記空洞の波及び前記クッションインサートの波のうちの互いに噛み合う波を選択的に変えるために前記空洞の軸及び前記クッションインサートの軸を中心に回転可能であり、前記空洞の波及び前記クッションインサートの波のうちの少なくとも１つは、前記空洞の波及び前記クッションインサートの波のうちの少なくとも１つの他の波とは異なることにより、前記クッションインサートの波及び前記空洞の波が前記ソール組立体の特性を変え、前記クッションインサートの波は、前記クッションインサートの軸に実質的に平行な方向に波打ち、前記空洞の波は、前記空洞の軸に実質的に平行な方向に波打つソール組立体。
【請求項２９】
アッパーと、
該アッパーに固定されるソールと
を備え、
該ソールは、ソール部品及び該ソール部品と嵌まり合うクッションインサートを含み、前記ソール部品は境界面を含み、前記クッションインサートは、前記ソール部品の境界面と接する境界面を含み、前記ソール部品の境界面と接する境界面及び前記クッションインサートの境界面の少なくとも一方は少なくとも１つの丸い突出部を有し、前記クッションインサートは、少なくとも第１の向きと第２の向きとの間で前記ソール部品に関して調節可能であり、前記クッションインサートが前記第１の向きにあるときに前記少なくとも１つの丸い突出部は前記ソールに第１の緩衝特性を与え、前記クッションインサートが前記第２の向きにあるときに前記少なくとも１つの丸い突出部は前記ソールに前記第１の緩衝特性とは異なる第２の緩衝特性を与えることにより、前記ソールは、前記ソール部品に関する前記クッションインサートを前記ソールの底部に実質的に垂直に延びる軸を中心に回転させることによって前記第１の緩衝特性と前記第２の緩衝特性との間で容易に調節可能であり、
前記ソール部品は区別ヒールを含む靴。
【請求項３０】
前記ソール部品を支持するアウトソールを含み、
該アウトソールは、前記区別ヒールを収容する受け部を含む、請求項２９に記載の靴。
【請求項３１】
前記ソール部品はヒール領域を含み、前記区別ヒール及び前記クッションインサートは、前記ヒール領域に位置する、請求項３０に記載の靴。
【請求項３２】
前記クッションインサートは、実質的にディスク形状である、請求項３０に記載の靴。
【請求項３３】
履物用のソールであって、
少なくとも１つの受け部を含むソール部品と、
前記受け部内に嵌まる調節可能なクッションインサートと
を備え、
該クッションインサートは、前記ソールに異なる緩衝特性を与える少なくとも２つの異なる向きに前記受け部に嵌まることが可能であることにより、前記ソールの前記緩衝特性の調節が、前記クッションインサートを前記ソールの底部に実質的に垂直に延びる軸を中心に前記少なくとも２つの向き間を回転させることによって行うことができ、
前記クッションインサートは、少なくとも１つの溝路を画定し、該少なくとも１つの溝路は深さ及び幅の少なくとも一方が変わり、該変わった深さ及び幅は、前記クッションインサートが第１の向きにあるときに前記ソールに第１の緩衝特性を与え、前記変わった深さ及び幅は、前記クッションインサートが第２の向きにあるときに前記ソールに第２の緩衝特性を与えるソール。
【請求項３４】
前記少なくとも１つの溝路は、前記軸を中心に深さが変わることにより、前記クッションインサートを前記受け部内で前記軸を中心に回転させることで前記ソールの緩衝特性が変わる、請求項３３に記載のソール。
【請求項３５】
前記少なくとも１つの溝路は、前記軸を中心に角度断面を通して深さが変わる、請求項３４に記載のソール。
【請求項３６】
前記溝路の深さは、前記クッションインサートの片側における第１の深さから該クッションインサートの反対側におけるより浅い深さまで均一に漸減する、請求項３５に記載のソール。
【請求項３７】
前記受け部は、前記クッションインサートを前記受け部内で前記異なる向きの両方に位置合わせするための位置合わせ手段をさらに含む、請求項３５に記載のソール。
【請求項３８】
アッパーと、
該アッパーに固定されるソールであって、該ソールは、ソール部品及び該ソール部品と嵌まり合うクッションインサートを含み、該クッションインサートは境界面を含み、前記ソール部品は、前記クッションインサートの境界面と接する境界面を含み、前記ソール部品の境界面及び前記クッションインサートの境界面の少なくとも一方は少なくとも１つの突起を有し、前記クッションインサートは、少なくとも第１の向きと第２の向きとの間で前記ソール部品に関して調節可能であり、前記少なくとも１つの突起は、前記クッションインサートが前記第１の向きにあるときに前記ソールに第１の緩衝特性を与え、前記少なくとも１つの突起は、前記クッションインサートが前記第２の向きにあるときに前記ソールに前記第１の緩衝特性とは異なる第２の緩衝特性を与えることにより、前記ソールは、前記ソール部品に関する前記クッションインサートを前記クッションインサートの境界面に実質的に垂直なクッションインサートの軸を中心に回転させることによって前記第１の緩衝特性と前記第２の緩衝特性との間で容易に調節可能であるソールと、
前記ソール部品の少なくとも一部を覆うアウトソールであって、該アウトソールの少なくとも一部が、前記ソール部品の少なくとも一部を覆う閉位置と前記受け部内の前記クッションインサートを露出させる開位置との間で可動であるアウトソールと
を備える靴。
【請求項３９】
前記アウトソールの前記一部は、前記閉位置に保持されるようになっている、請求項３８に記載の靴。
【請求項４０】
アッパーと、
該アッパーに固定されるソールであって、該ソールは、ソール部品及び該ソール部品と嵌まり合うクッションインサートを含み、前記ソール部品は境界面を含み、前記クッションインサートは、前記ソール部品の境界面と接する境界面を含み、前記ソール部品の境界面と接する境界面及び前記クッションインサートの境界面の少なくとも一方は少なくとも１つの丸い突出部を有し、前記クッションインサートは、少なくとも第１の向きと第２の向きとの間で前記ソール部品に関して調節可能であり、前記少なくとも１つの丸い突出部は、前記クッションインサートが前記第１の向きにあるときに前記ソールに第１の緩衝特性を与え、前記少なくとも１つの丸い突出部は、前記クッションインサートが前記第２の向きにあるときに前記ソールに前記第１の緩衝特性とは異なる第２の緩衝特性を与えることにより、前記ソールは、前記ソール部品に関する前記インサートを前記クッションインサートの境界面に実質的に垂直なクッションインサートの軸を中心に回転させることによって前記第１の緩衝特性と前記第２の緩衝特性との間で容易に調節可能であるソールと、
開口を有することにより、前記クッションインサートを移動させるために該クッションインサートの一部に前記開口を通してアクセス可能であるアウトソールと
を備える靴。
【請求項４１】
前記ソール部品は、前記クッションインサートを収容する少なくとも１つの受け部を含み、前記クッションインサートは、前記受け部内で前記第１の向きと前記第２の向きとの間で可動である、請求項４０に記載の靴。
【請求項４２】
前記クッションインサートを回転させるために、前記クッションインサートの半径方向外面に前記アウトソールの前記開口を通してアクセス可能であるようにする、請求項４０に記載の靴。
【請求項４３】
前記クッションインサートは、前記半径方向外面に複数の窪みを含む、請求項４２に記載の靴。
【請求項４４】
前記クッションインサートは、異なる硬度を有する少なくとも２つの材料から形成される、請求項４１に記載の靴。
【請求項４５】
前記硬度が低い方の材料の深さが前記軸を中心に変わることにより、該軸を中心に前記クッションインサートを回転させることで前記ソールの特性が変わる、請求項４４に記載の靴。
【請求項４６】
前記２つの材料の比例した厚さは、前記クッションインサートの異なる領域に異なる緩衝特性を与えるように変わる、請求項４４に記載の靴。
【発明の詳細な説明】
【技術分野】
【０００１】
本発明は、履物ソールに関し、より詳細には、調節可能な履物ソール構造に関する。
【背景技術】
【０００２】
本願は、２００７年５月２２日に出願された米国仮特許出願第６０／９３９，３８３号と、２００７年９月１４日に出願された米国特許出願第１１／８５５，６２２号と、２００８年１月３０日に出願された米国特許出願第１２／０２２，３６９号との米国特許法第１１９条（ｅ）項の下での優先権の利益を主張し、上記出願は、その全体が参照により本明細書に援用される。
【０００３】
履物の設計及び製造は、履物に対するニーズが人によってそれぞれ異なることにより複雑になる。例えば、硬めで曲がり難いソールを好む人もいれば、軟らかめでクッションの効いたソールを好む人もいる。一部の人々にとってこれは単に美的欲求に過ぎないが、人によっては、足の形、骨格配置、及び他の解剖学的問題に関連する要因のような身体的要因に起因する場合がある。解剖学的問題によって、回内（歩行時に足が内側に傾く）の傾向に悩まされる人と、これとは逆の回外（歩行時に足が外側に傾く）の傾向に悩まされる人とがいる。これらの問題に対処する１つの方法は、望ましくない動きに対する抵抗を高めるためにソールの選択領域を強化することである。例えば、回外は、デュアルデンシティミッドソールの内側に沿って高密度領域を提供することによって対処することができる。同様に、回内は、デュアルデンシティミッドソールの外側に沿って高密度領域を提供することによって対処することができる。
【０００４】
異なる消費者のニーズに対処するために、カスタマイズ可能なソール構造を有する様々な履物製品が開発されてきた。例えば、従来の製品の１つでは、ソールが、様々な異なるクッションインサートの１つを収容するようになっている空隙を画定している。この製品では、異なる緩衝／支持ニーズを満たす異なるクッションインサートが着用者に提供される。着用者は、適当なクッションインサートを空隙内に挿入することによってソールをカスタマイズする。クッションインサートは、将来、ソールの特性を変えるために所望に応じて代替のインサートと交換することができる。この解決手段は、ある程度のカスタマイズを行うことができるようにするが、複数のインサートの製造及び供給を必要とする。これは、製造及び組み立ての費用を増加する可能性がある。さらに、将来の調節を可能にするために、消費者が種々のインサートを保存及び保管する必要がある。さらに、調節設定の数は、靴に供給されるインサートの数に対応するため、このタイプのソール構造の調節性は比較的限られる。
【０００５】
［発明の概要］
本発明は、ソールに異なる支持／緩衝特性を与えるために異なる向き（orientations）にソールに位置決めすることのできる調節可能なクッションインサートを有するソールを提供する。一つの実施の形態では、ソールは、クッションインサートを収容するようになっている受け部（receptacle）を含む。この実施の形態では、受け部及びクッションインサートのうちの少なくとも一方が、クッションインサートを受け部内に異なる向きに位置決めすることでソールの支持／緩衝特性が変わるように構成される。
【０００６】
一つの実施の形態では、調節可能なクッションインサートは、実質的にディスク形状である。この実施の形態では、クッションインサートは、相補的なディスク形状の受け部内に同軸状に設けてもよい。クッションインサート及び受け部の合わせ面は、丸い突出部（lobes）、輪郭、隆起、及び起伏のような、クッションインサートを受け部内に設けたときに嵌まり合う複数の突起を含んでもよい。丸い突出部は、規則的な角度断面（angular sections）を通って波打つ一連の波であってもよい。丸い突出部の１つ又は複数は、ソールの支持／緩衝特性に区別をつけるために切断されるか又は他の方法で変えてもよい。一つの実施の形態では、丸い突出部は、傾斜平面に沿って切断される。
【０００７】
クッションインサートは、異なる緩衝特性又は支持特性を与えるために異なる角度向きで受け部内に選択的に設けてもよい。ディスクの実施の形態では、丸い突出部の特性は、角度向きを変えることでソール構造の支持／緩衝特性が変わるように、クッションインサートの範囲のあたりで変わってもよい。
【０００８】
一つの実施の形態では、クッションインサートは、ミッドソールの対応する支柱の上方に嵌まるように構成される中央貫通孔又はボアを画定してもよい。クッションインサートは、支柱の上方に回転可能に嵌まってもよい。その結果、ソール構造は、単に支柱を中心としてクッションインサートを回転させることによって調節することができる。
【０００９】
一つの実施の形態では、クッションインサートは、「回外」、「回内」、「硬め（firm）」、「標準（regular）」の設定を含む少なくとも４つの位置間で調節可能である。ディスクの実施の形態では、消費者は、標準緩衝若しくは硬め緩衝を提供するか、又は回外若しくは回内に対処するために、クッションインサートを回転させてソール構造を調節することができる。
【００１０】
一つの実施の形態では、ソールは、ソールを保持するために対応する受け部を備えるアウトソールを有するローファー又は他のタイプの浅い履物に、挿入されるようになっている。この実施の形態では、ソールは、アウトソールのヒールの受け部に嵌まり込むように構成される区別ヒール部分（differentiated heel portion）を含んでもよい。クッションインサートは、受け部内に収容される場所で、区別ヒール部分に取り外し可能且つ調節可能に取り付けることができる。
【００１１】
別の実施の形態では、ソールは、ソールを収容するようになっているアウトソールを有する靴構造に含まれる。この実施の形態では、アウトソールの一部が、クッションインサートへのアクセスを提供するように屈曲、枢動、又は他の方法で選択的に移動させられるようになっていることで、クッションインサートを取り外して異なる構成で置き換えて支持特性を変えることができる。一つの実施の形態は、アウトソールのヒール領域は、調節のためにクッションインサートを露出させるように靴から離れて下方に屈曲するようになっている。
【００１２】
さらに別の実施の形態では、クッションインサートは、少なくとも１つの溝路を画定し、その深さは、クッションインサートの異なる領域に異なる緩衝特性を与えるようにクッションインサートのまわりで変わる。クッションインサートは、異なる支持／緩衝特性を与えるために、様々な異なる向きにソールに取り外し可能に嵌まることができる。
【００１３】
別の実施の形態では、ソールは、ソールを収容及び支持するようになっているアウトソールを有する靴構造に組み込まれる。アウトソールは、開口を画定し、これを通してクッションインサートにアクセスして、異なる支持／緩衝特性を与えるためにクッションインサートの向きを変えるように操作することができる。この実施の形態では、アウトソールは、クッションインサートへのアクセスを提供する開口を画定する側壁を含んでもよい。クッションインサートには、ソール内の所定位置にある間のクッションインサートの調節を容易にする輪郭を設けてもよい。
【００１４】
本発明は、ソールを異なる着用者のニーズに合うように容易に適合させることのできる単純で効果的な構造を提供する。ディスク形状のクッションインサートを含むようなこれらの実施の形態では、ソールは、受け部内でクッションインサートを単に回転させることによって調節することができる。例えば、クッションインサートを単に回転させるだけで、ソールを標準支持若しくは硬め支持間で調節すること、又は回内若しくは回外に対処させることができる。１つのクッションインサートの向きを変えることによってソールを調節できるため、費用を増加させる必要がなく、紛失又は置き替え違いの可能性がある一群の異なるインサートを着用者に供給する必要がない。さらに、着用者が将来行われる可能性のある調節のために未使用の調節可能インサートを保存及び保管する必要がない。一足の靴で片足に８つの異なる向きを有するクッションインサートが組み込まれていれば、６４種類の異なる調節の組み合わせが着用者に与えられる。区別ヒールを用いる実施の形態は、アウトソールによって占められることの多い空間内にクッションインサートを収容することができるため、ローファー及び他の浅い履物での本発明の使用を容易にする。クッションインサートの調節は、クッションインサートがアウトソールの操作（例えば屈曲又は枢動）によってアクセス可能であるような実施の形態で容易にされ得る。クッションインサートの変化が可変深さの溝路によって達成されるような実施の形態では、クッションインサートの上面は平面状のままであり得る。これは、クッションインサートに起伏を組み込んだ実施の形態とは異なり、クッションインサート及び相手方のソール部品の輪郭同士が一致することが望ましくないため、クッションインサートに無限の調節性を与えることができる。さらに、クッションインサートで平面状の合わせ面を用いることで、それと接するソール部品の製造を容易にするとともにクッションインサートの汎用性を高めることができる。さらに、クッションインサートが周囲のソール部品（例えばアウトソール）の開口を通してアクセス可能であるような実施の形態では、着用者が履物製品を履いたままでアウトソール又は他のソール部品のどの部分も操作することなくクッションインサートを調節することができるため、クッションインサートの調節を単純化することができる。
【００１５】
本発明のこれら及び他の目的、利点、及び特徴は、現行の実施形態の詳細な説明及び図面を参照することによって容易に理解及び認識されるであろう。
【発明を実施するための最良の形態】
【００１６】
本発明の一つの実施形態によるソール構造を、図１〜図１１ｂに全体的に１０で示す。図示された実施形態は、概して、ミッドソール１２と、クッションインサート１４と、ヒールウェッジ１６とを含んでいる。ミッドソール１２は、クッションインサート１４を収容するようになっている受け部１８を画定している。ヒールウェッジ１６は、ミッドソール１２／クッションインサート１４の組み合わせの下方に位置決めされている。クッションインサート１４の上面２０は、複数の丸い突出部２４を含み、受け部１８の底面２２は、複数の丸い突出部２６を含んでいる。丸い突出部２４及び２６は、異なる支持／緩衝特性を与えるように異なる形状であってもよい。丸い突出部２４及び２６は、クッションインサート１４が受け部１８内に設けられると嵌まり合う。これらの部品は、基本的にいかなる履物製品の中に着座させることもできる。開示の目的で、本発明はミッドソール構造に関連して説明される。しかしながら、本発明は、アウトソール、インソール、又はヒールウェッジのような他のソール部品に組み込まれてもよい。ミッドソール構造では、ソール構造１０は通常、（図示しない）アウトソールの空隙の上方に配置されるか又は中に着座させられる。さらに、本発明は、ヒール領域に位置決めされるクッションインサートに関連して説明される。前足部又はこの構造によって与えられるタイプの調節性が望まれ得る他の場所のように、ソールの他の領域にクッションインサートを代替的又は付加的に位置決めしてもよい。
【００１７】
本発明は、寸法、符号、及び他の注釈を含む一連の図に関連して説明される。図に含まれる寸法、符号、及び他の注釈は例示であり、本発明の範囲を限定するものと解釈すべきではない。
【００１８】
本発明は、主に、右の靴に組み込まれるように構成されるソール構造１０に関連して説明する。左の靴用のソール構造は、説明される右のソール構造１０の鏡像である。したがって、左のクッションインサートは、右のクッションインサート１４の鏡像である。例えば、図２８は、本発明の代替的な実施形態の左の組立体及び右の組立体を示している。
【００１９】
図１〜図１１の実施形態では、ミッドソール１２は、ソールの主緩衝体を提供する。この実施形態のミッドソール１２は、履物製品の一般的形状に従う全長ミッドソールであり、アウトソール又は他の下にあるソール部品の上方でアッパーに嵌まるように構成されている（図１及び図２を参照）。この実施形態のミッドソール１２は、アウトソールと基本的に同一範囲に延びる単一の一体構造であるが、別個の部品群でであってもよく、又はソールの１つ又は複数の選択部分のみに延びるように構成される部分的なミッドソールであってもよい。図示された実施形態を再び参照すると、ミッドソール１２は、前足部領域３０と、アーチ領域３２と、ヒール領域３４とを含んでいる。前足部領域３０は、着用者の前足部を支持するように構成されている。アーチ領域３２は、アーチ支持を与えるような形状であってもよい。図示されていないが、ミッドソール１２のアーチ領域３２の輪郭が所望のレベルのアーチ支持を与えるのに十分でない場合、ミッドソールのアーチ領域３２に、シャンク又は実質的に硬いアーチ支持体を加えてもよい。所望であれば、別個のシャンクをミッドソール１２とアウトソール又は他の場所との間でソール構造に組み込んでもよい。ヒール領域３４は、クッションインサート１４を収容するように構成される受け部１８を画定している。この実施形態は、ヒール領域に１つの受け部１８を示しているが、受け部１８は、前足部領域の他の位置に位置付けてもよく、ミッドソール１２は、複数のクッションインサートを収容するように構成される複数の受け部を画定している。例えば、別個のクッションインサートをヒール領域及び前足部領域に位置付けて、ソールの両方の領域に調節性を与えてもよい。図示された実施形態では、受け部１８は、中央支柱３６を有する実質的にディスク形状の空隙である（図２、図４ａ、及び図４ｂを参照）。中央支柱３６は、より詳細に後述するように、クッションインサート１４を収容するように構成されている。中央支柱３６のサイズ、形状、及び構成は、ソール構造１０の特性を変えるように、用途ごとに変えてもよい。例えば、ヒール領域の中央に与えられる支持量を制御するために、中央支柱３６の直径を増減してもよい。中央支柱３６はオプションであり、中央支柱３６が設けられていない場合、クッションインサート１４は、ディスク形状の空隙に単に嵌まり得る。
【００２０】
受け部１８は、クッションインサート１４と係合するように構成される境界面４０を含んでいる（図３ａ、図３ｂ、図４ａ、及び図４ｂを参照）。境界面４０は、クッションインサート１４に向かって延びる複数の丸い突出部２６を含んでもよい。丸い突出部２６は、受け部１８の角度断面と一致する規則的な波のパターンで境界面４０のまわりに位置決めされてもよい。図示された実施形態では、受け部１８は、境界面４０の中央の周りに規則的な反復パターンで配置される８つの丸い突出部２６を含んでいる。図示された実施形態の丸い突出部２６は、平滑な連続した湾曲輪郭によって形成され、「丸い突出部」という用語は、このような輪郭が湾曲しているか、平滑であるか、又は互いに連続して延びているかに関係なく、基本的に任意の輪郭を指すように広義に用いられる。受け部の境界面４０は、ＴＰＵ又はより硬質のＥＶＡの薄層のような支持層４２を含んでもよい。支持層４２の硬度は、所望に応じて用途ごとに変えてもよい。しかしながら、図示された実施形態では、支持層４２は、アスカーＡ型で約８０〜９０の範囲のデュロメータ硬度を有し得る。支持層４２は、ミッドソール１２に固定してもよい。例えば、支持層４２は、ミッドソール１２に現場成形してもよい。別の例として、支持層４２は、境界面４０に接着剤又は他の接着方法で固定してもよい。任意の支持層４２のサイズ、形状、及び構成は、構造的完全性を維持しつつ所望のレベルの緩衝／支持を与えるために用途ごとに変えてもよい。さらに、支持層４２の特性は、ソールの特性に領域的変化を与えるために、領域ごとに変えてもよい。
【００２１】
ミッドソール１２は、所望の緩衝／支持特性を与えることが可能な基本的にいかなる材料又は材料の組み合わせから製造されてもよい。一つの実施形態では、ミッドソール１２は、所望の硬度／弾力性を有するポリウレタン又はＥＶＡから製造される。ミッドソール１２の硬度は、所望に応じて用途ごとに変えてもよい。しかしながら、図示された実施形態では、ミッドソール１２は、アスカーＣ型で約６５〜７０の範囲のデュロメータ硬度を有する単一材料から製造されている。ミッドソール１２は、基本的に従来の成形技術及び装置を用いて製造され得る。ミッドソール１２は、成形プロセス中に、受け部１８が形成される単一の一体ユニットとして射出成形することができる。ミッドソール１２は、代替的に、予備製造（例えば予備成形）されてから受け部１８を形成するように、打ち抜き又は他の方法で加工してもよい。ミッドソール１２は、代替的に、例えば別個のヒール部分及び前足部分を有する複数の複合部品から製造されてもよい。別個の部品は、圧縮成形又は接着剤の使用等によって、製造中に組み合わせてもよい。
【００２２】
クッションインサート１４は、様々な異なる向きに受け部に取り外し可能に嵌まるように構成されている（図５〜図８を参照）。図示された実施形態では、クッションインサート１４は、実質的にディスク形状であり、受け部１８内に着座するように構成されている（図２、図４ａ、及び図４ｂを参照）。次に図９ｂ、図１０ａ、及び図１０ｂを参照すると、クッションインサート１４は、中央支柱３６の上方に嵌まるようになっている中央孔４４を画定している。中央孔４４及び中央支柱３６は、クッションインサート１４を受け部１８内に位置合わせ及び／又は保持するのを助けるのに役立ち得る。しかしながら、中央支柱３６及び中央孔４４は、省いてもよく、又は他の構成をとってもよい。例えば、中央孔４４及び中央支柱３６は、互いにスナップ嵌めされるように構成してもよい。図示されていないが、中央支柱３６は、（図示しない）ヘッドを含んでもよく、中央孔４４は、クッションインサート１４が受け部１８内に装着されたときに、中央支柱３６のヘッドを収容するための（図示しない）拡大空間を画定してもよい。別の例として、中央支柱３６及び中央孔４４は、クッションインサート１４が選択向きでのみ受け部１８に嵌まるような形状であってもよい。この代替的な実施形態では、２つの部品のうちの一方はキーを含んでもよく、他方は、クッションインサート１４が許容可能な向きの１つにあるときにのみ、キーを受け入れる複数のスロットを含んでもよい。
【００２３】
クッションインサート１４の境界面４６は、受け部１８の丸い突出部２６と嵌まり合うように構成された複数の丸い突出部２４を含んでいる。丸い突出部２４の１つ又は複数は、残りの丸い突出部２４とはサイズ、形状、又は他の特性が異なるため、クッションインサート１４を位置決めし直すことで、丸い突出部２４を位置決めし直し、したがってソール構造１０の支持／緩衝特性が変わる。図示された実施形態では、丸い突出部２４及び２６は、クッションインサート１４の丸い突出部２４が調節性を与えるために意図的に切断されている領域でのみ空間が生じるように、互いに密接に嵌まり合うような形状である。おそらく図１１ａに最もよく示されているように、図示された実施形態の丸い突出部２４は、クッションインサート１４の片側における全高さの丸い突出部２４から反対側における実質的に高さを減らした丸い突出部２４まで均一なテーパを与えるように選択された向きに丸い突出部２４を延びる１つの共通平面によって切断されている。異なる用途では、切断平面は、所望の緩衝特性を与えるように適宜代替的な向きに配置してもよい。さらに、丸い突出部２４は、１つの共通平面によって切断される必要はなく、代替的に、クッションインサートの調節範囲を通して所望の緩衝／支持特性を与えるように、所望に応じて切断又は他の方法で変えてもよい。
【００２４】
図示された実施形態は、切断された丸い突出部を開示しているが、クッションインサート１４の調節性範囲を通して所望の支持／緩衝を与えるように、サイズ、形状、構成、及び材料のようなクッションインサート１４又は丸い突出部２４の基本的に任意の特性を変えることによって、調節性を与えることができる。例えば、丸い突出部は、異なる硬度の材料から製造してもよい。このタイプの一つの実施形態では、クッションインサートは、異なる材料から製造された丸い突出部から形成してもよい。製造プロセスは様々であり得るが、クッションインサートの異なる材料は、互いに接着してもよく、マルチショット（multiple shots）を用いて一体成形してもよく、又は圧縮成形してもよい。別の例として、丸い突出部に所望の特性を与えるために、（図示しない）支持層を丸い突出部の１つ又は複数の上方に位置決めしてもよい。図示されていないが、支持層は、受け部１８の支持層４２と同様であってもよい。選択された丸い突出部の上方に設けられる支持層が硬いほど、硬さが増す。選択された丸い突出部の上方の支持層が薄いほど（又は支持層がないことで）、選択領域の硬さが減る。支持層の厚さの変化を用いて、丸い突出部の特性に所望の変化を与えることができる。
【００２５】
調節性を与えるためにクッションインサート１４の個々の丸い突出部２４を変えることに加えて、ミッドソール１２及びクッションインサート１４の輪郭及び他の特性を用途ごとに変えてもよい。例えば、丸い突出部２４及び２６のサイズ、形状、及び構成の変化だけでなく、ミッドソール１２、クッションインサート１４、及び／又は支持層４２の厚さ又は材料の変化を用いて、調節性との関連なしに支持／緩衝特性を制御することができる。図示された実施形態では、丸い突出部２４及び２６は、境界面のまわりに延びる連続曲線に従って滑らかに１つの丸い突出部から次の丸い突出部へと移行する。端部から見ると、曲線はほぼ正弦曲線である。所望であれば、一方又は両方の部品の丸い突出部間に空間を設けてもよい。また、クッションインサートにおいて１つ又は複数の丸い突出部２４及び２６を省いて、硬度が低い領域を設けてもよい。別の例として、丸い突出部２４及び２６は、曲線プロファイルではなく、三角形、矩形、又は正方形等の異なる形状を有していてもよい。さらに、嵌まり合う丸い突出部２４及び２６の形状は、図示のように対応している必要はない。例えば、三角形の丸い突出部又は正方形の丸い突出部が湾曲空隙又は他の不整合空隙形状に嵌まってもよい。
【００２６】
ミッドソール１２及びクッションインサート１４は、クッションインサート１４の調節を助けるグラフィック、印刷物、又は他の記号を含んでもよい。例えば、図２に示されるように、ミッドソール１２に位置合わせインジケータ９８（この場合は１つの矢印）を設けてもよく、クッションインサート１４にクッションインサート１４の許容可能な向きを示す複数の同様の位置合わせインジケータ９６（この場合は複数の矢印）を設けてもよい。クッションインサート１４は、位置合わせインジケータ９６及び９８と協働してクッションインサート１４の向きの結果を視覚的に示す文章又は記号を含んでいてもよい。例えば、「回内（Ｐ）」、「回外（Ｓ）」、「標準（Ｒ）」、及び「硬め（Ｆ）」という言葉が、適当な位置合わせインジケータ９６に隣接してインサートに印刷されてもよい（図２９ａ〜図３０ｂを参照）。図５〜図８は、クッションインサート１４をそれぞれ「回内」、「回外」、「硬め」、及び「標準」の状態で示している。
【００２７】
図示された実施形態では、ソール構造１０は、ソールのヒール領域を付加的に緩衝し上昇させるヒールウェッジ１６を含んでいる（図３ｂ、図４ａ〜図４ｃを参照）。ヒールウェッジ１６は、ヒール領域でミッドソール１２及びクッションインサート１４の下面を収容及び支持するためのカップ形状面を提供するような形状であってもよい。ヒールウェッジ１６は、オプションの部品であり、例えば、下側のアウトソールのような他のソール部品によって十分なヒールの緩衝及び上昇が与えられる場合は省くことができる。図示された実施形態では、ヒールウェッジ１６は、アウトソール及び他のソール部品とは別個に製造される。所望であれば、ヒールウェッジ１６は、ミッドソール１２及びクッションインサート１４の下にあるアウトソール又は他のソール部品に一体化してもよい。
【００２８】
ミッドソール１２、クッションインサート１４、及びヒールウェッジ１６は、基本的にいかなる履物構造に組み込むこともできる。図１〜図１１の組立体は、例えば履き口を通して組立体をアッパー内に落とし、アウトソールの上方に位置決めすることによって、履物製品に取り外し可能に嵌めることができる。ヒールウェッジ１６は、ミッドソール１２及びクッションインサート１４が取り外し可能である場合でも、履物製品に永久的に固定することができる。代替的に、組立体（クッションインサート１４を除く）は、例えばミッドソール１２及びヒールウェッジ１６を所定位置に接着することによって、ソール構造に永久的に一体化することができる。クッションインサート１４は絶対に取り外し可能である必要はないが、ユーザがクッションインサート１４を或る向きから次の向きへ調節することが可能であるべきである。例えば、クッションインサート１４は、取り外さないで或る向きから次の向きへ回転させることができれば、取り外し可能である必要はない。
【００２９】
図１〜図１１に示したものと同様の実施形態のミッドソール及びクッションインサートの複数の図面を、図１８ａ〜図１８ｅに示す。図１〜図１１の実施形態と同様であるが、この実施形態は、特に支持層４２を含んでいない。さらに、クッションインサートの丸い突出部は、図１〜図１１の実施形態のような平面によって切断されるのではなく、高さが変わっている。これらの図面には、図１〜図１１に関連して用いた参照符号に対応する参照符号が記されている。図１８ａ〜図１８ｅは、ミッドソール１２に設けられたクッションインサート１４を示している。図から分かるように、クッションインサート１４は中央支柱３６の上に嵌められている。図１８ａは、クッションインサートが第１の位置にあるプロトタイプのヒール領域の右側を示している。図１８ｂは、クッションインサートが第２の位置にあるプロトタイプのヒール領域の右側を示している。図１８ｃは、クッションインサート１４が第１の位置にある後部からのプロトタイプのヒール領域を示している。図１８ｉは、クッションインサート１４を取り外したミッドソール１２のヒール部分を示している。図１８ｋは、クッションインサートの底部を示している。
【００３０】
代替的な実施形態を図１２〜図１７に示す。この代替的な実施形態では、ソール構造２１０は、クッションインサート２１４がミッドソール２１２の上面からアクセス可能であるように構成されている（図１２を参照）。図１５に示されるように、この実施形態のソール構造２１０は、概して、ミッドソール２１２と、クッションインサート２１４と、ヒールウェッジ２１６とを含んでいる。ミッドソール２１２は、上述のミッドソール１２と概ね同一である。しかしながら、クッションインサート２１４がミッドソール２１２に上から挿入されるように受け部２１８が上向きに開いていることにより、ミッドソール２１２を靴から取り外すことなくクッションインサート２１４の調節が容易になる。さらに、この実施形態の中央支柱２３６は、クッションインサート２１４を貫通しないように構成されている。逆に、クッションインサート２１４は、境界面２４６からクッションインサート２１４内に延びる中央ボア２４４を画定している。中央支柱２３６は、（図示しない）ヘッドを含んでもよく、中央ボア２４４は、クッションインサート２１４を中央支柱２３６にスナップ嵌めすることを可能にする対応する（図示しない）拡大空隙を画定してもよい。ヒールウェッジ２１６は、上述のヒールウェッジ１６と基本的に同一である。ヒールウェッジ２１６は、所望であれば、ミッドソール２１２に直接組み込んでもよい。
【００３１】
この代替的な実施形態は、オプションの中敷３００も含んでもよい（図１３及び図１４を参照）。中敷３００の設計及び構成は、用途ごとに変わり得る。例えば、中敷は、従来の積層構造（例えば、複数の異なる層から組み立てられる）であってもよく、又は従来の一体構造であってもよい。図示された実施形態では、中敷３００は、積層構造であり、概してクッション層３０４及びカバー層３０６を含んでいる。この実施形態のクッション層３０４は、ＥＶＡ、ポリウレタン、又はゲルのような基本的に任意の緩衝材料から製造してもよい。この実施形態のカバー層３０６は、綿、毛、及びポリプロピレンブレンドのような、柔軟だが耐久性のある布又は織物材料から製造され得る。所望であれば、中敷３００は、抗菌、防臭、及び／又は他の機能処理で処理してもよい。図示されるように、中敷３００は、中敷３００が靴に装着されたときにクッションインサート２１４が見えるようにする窓３０２を含んでもよい。窓３０２は、単に中敷３００に開いた開口であってもよく、又は透明若しくは半透明材料を充填してもよい。図１２〜図１７及び図２０〜図２８の実施形態のみに関連して図示されているが、基本的にいかなる構造もオプションの中敷を含むことができる。クッションインサートがミッドソールの下面に嵌められる用途では、中敷に窓はなくてもよい。
【００３２】
本発明は、限定はされないが、靴、ブーツ、サンダル、スリッパ、及び運動靴を含む基本的にいかなるタイプの履物にも組み込むことができる。さらに、本発明は、基本的にいかなる履物構造にも組み込むことができる。例えば、ソール構造は、ダイレクトアタッチ、ウェルト、接着、ストローベル、カリフォルニア、オパンカ、ラスティング、スリップラスティング、及び他の履物構造に組み込むことができる。ソール構造全体を、アウトソール、ミッドソール、又は他のソール部品の空隙に取り外し可能に嵌めることができる。代替的に、ミッドソール及びヒールウェッジのような本発明の選択部品を、ソールの残りの部分に固定することができる。この代替形態では、クッションインサートは取り外し可能（又は少なくとも受け部内で調節可能）でもよい。オプションの中敷がソール構造に含まれる場合、クッションインサートへのアクセスを提供するのに取り外しが必要であれば、中敷は通常取り外し可能になる。
【００３３】
図１２〜図１７に示されるものと同様の実施形態のミッドソール及びクッションインサートの複数の図面を、図１９ａ〜図１９ｄに示す。図１２〜図１７の実施形態と同様であるが、この実施形態は、特に支持層２４２を含まない。さらに、クッションインサートの丸い突出部は、図１２〜図１７の実施形態のように、平面によって切断されるのではなく高さ／形状が変わっている。これらの図面には、図１２〜図１７に関連して用いた参照符号に対応する参照符号が記されている。図１９ａは、ミッドソール２１２に装着されたクッションインサート２１４を示すプロトタイプの上部を示している。図１９ｂは、クッションインサート２１４を取り外したミッドソール２１２のヒール領域を示している。図１９ｃは、クッションインサートの上部を示している。図１９ｄは、クッションインサートの底部を示している。
【００３４】
第２の代替的なソール構造４１０を、図２０〜図２８に示す。この実施形態は、説明される場合を除いて、図１２〜図１７の実施形態とほぼ同一である。図示されるように、この実施形態は、ミッドソール４１２の上面に装着されるクッションインサート４１４を含んでいる。クッションインサート４１４は、主にミッドソール４１２の対応する位置合わせ孔４４４に嵌まるように構成された支柱４３６を含むという点で、クッションインサート２１４とは異なっている（図２３及び図２７を参照）。所望であれば、位置合わせ孔４４４は、図２１に示されるように、支柱４３６がミッドソール４１２の底部から見えるようにミッドソール４１２を貫通し得る。代替的に、位置合わせ孔４４４は、ミッドソール４１２に開いているが貫通していない（図示しない）より浅い孔で置き換えてもよい。右側のクッションインサート４１４ａを図２５ａ及び図２６ａに、左側のクッションインサート４１４ｂを図２５ｂ及び図２６ｂに示す。図示されるように、右側のクッションインサート４１４ａ及び左側のクッションインサート４１４ｂは、基本的に互いの鏡像である。次に図２２〜図２４を参照すると、ヒールウェッジ４１６、ミッドソール４１２、クッションインサート４１４、及び中敷３００は、図１２〜図１７に示される代替的な実施形態と基本的に同じ方法で組み立てられる。図２８は、左側及び右側の履物製品に装着されたソール構造を示している。この図では、クッションインサート４１４ａ及び４１４ｂは、「回内」位置で装着されている。
【００３５】
第３の代替的なソール構造５１０を、図３１〜図３４に示す。この代替的な実施形態は、限定はしないが、ローファー及び他の浅い履物構造で用いるためのものである。図示された実施形態では、ソール構造５１０は、クッションインサート５１４を有するソール部品すなわちミッドソール５１２を含み、これらは、詳細に上述したミッドソール１２、２１２、及び４１２、並びにクッションインサート１４、２１４、及び４１４とほぼ同様であってもよい。ミッドソール５１２は、区別ヒール部分５１２ａを含み、これは、ヒール部分５１２ａを収容するための対応する受け部５５０を有するローファー５１６又は他のタイプの履物に入れられる、すなわち挿入されるようになっている。この実施形態では、区別ヒール部分５１２ａは、ミッドソール５１２のアーチ領域５１５からヒール領域５１７への大きな遷移部５１３を特徴としている（図３２を参照）。遷移部５１３は、ヒール部分５１２ａを受け部５５０に落とし込むことを可能にする。
【００３６】
本発明は、広範囲の履物様式での使用に適しているが、ローファー５１６に関連して説明される。ローファー５１６は、別段の記載がない限りほぼ従来通りのものである。図示された実施形態では、ローファー５１６は、ミッドソール５１２の下面と係合してこれを支持するようになっているアッパー５４６及びアウトソール５４８を含んでいる（図３１を参照）。ローファー５１６のヒール領域５３４において、アウトソール５４８は、ローファーのヒール領域５３４を付加的に上昇させるヒール５４８ａを形成する。ヒール５４８ａは、実質的に中空であり、ミッドソール５１２のヒール部分５１２ａを収容するのに十分なサイズ及び形状の受け部５５０を画定している。図示された実施形態では、受け部５５０は、アウトソール５４８の上面に画定されたカップ形状の空隙又は開口として形成されている。
【００３７】
図３１に示されるように、ミッドソール５１２は、アウトソール５４８と噛み合い係合するように形成されている。具体的には、ミッドソール５１２のヒール部分５１２ａが、ミッドソール５１２のヒール領域においてアウトソール５４８の受け部５５０に対応する突出部又は延長部として形成されることで、ミッドソール５１２がローファー５１６内に落とされて、すなわち挿入されて、適切な向きにアウトソール５４８と容易に係合することができる。受け部５５０内で得られるヒール部分５１２ａの構成により、ソールの全厚さを減らすことができ、ミッドソール５１２がローファー５１６内で摺動するか又は他の形でずれる可能性を減らすことができる。図示された実施形態では、ヒール部分５１２ａは、ミッドソール５１２と一体形成されている。しかしながら、ヒール部分５１２ａは、ミッドソール５１２とは別個に製造されて後で取り付けられてもよい。
【００３８】
場合によっては、ミッドソール５１２は、特に靴構造５１０の支持特性を変えることができる少なくとも１つの輪郭面を含んでもよい。例えば、ミッドソール５１２は、図３４に示される凹部５５２のような、ミッドソール５１２の可撓性を高めることのできる球状の窪み又は突出部又は凹部５５２をその底面に画定してもよい。
【００３９】
上述のように、ミッドソール５１２及びクッションインサート５１４は、本明細書で説明した実施形態と他の点ではほぼ同様であるため、クッションインサートを移動させることで様々な支持特性を提供し得る。図示された実施形態では、ミッドソール５１２は、クッションインサート５１４を収容する受け部をその底面に含んでいる（図３３を参照）。受け部の底面は複数の丸い突出部５２６を含み、クッションインサート５１４の上面は複数の丸い突出部５２４を含んでいる。丸い突出部５２４及び５２６は、クッションインサート５１４が受け部内に装着されると嵌まり合う。上述の丸い突出部２４及び２６のように、丸い突出部５２４及び５２６は、異なる支持／緩衝特性を与えるように異なる形状又は高さであってもよい。図示された実施形態では、クッションインサート５１４は、ヒール部分５１６のミッドソール５１２のヒール領域に位置付けられている。しかしながら、クッションインサート５１４又は付加的なクッションインサートを、ミッドソール５１２の他の場所に位置決めしてもよい。
【００４０】
この実施形態では、靴構造５１０は、クッションインサート５１４と相手方のソール部品（例えばミッドソール５１２）との位置合わせを容易にして維持するための構造を含んでもよい。図３３及び図３４に示されるように、クッションインサート５１４は、ミッドソール５１２の対応する位置合わせ孔５４４に嵌められるように構成される支柱５３６を含んでいる。支柱５３６及び位置合わせ孔５４４は、上記実施形態で説明した支柱及び位置合わせ孔と概ね同一であってもよい。例えば、位置合わせ孔５４４は、支柱５３６がミッドソール５１２の底部から見えるように、ミッドソール５１２を貫通してもよい。代替的に、位置合わせ孔５４４は、ミッドソール５１２に開いているが貫通していない（図示しない）より浅い孔で置き換えてもよい。位置合わせ構造が望まれる実施形態では、これらの代替的な位置合わせ構造を、適当な位置合わせを行うことが可能な基本的に任意の構造で置き換えてもよい。
【００４１】
第４の代替的な実施形態では、調節（及び他の目的）用のクッションインサート６１４へのアクセスが周囲のソール部品の操作によって達成される構造が提供されている。図３５〜図３９に示される実施形態では、クッションインサート６１４は、アウトソール６４８のヒール部分をミッドソール６１２から離れて屈曲又は枢動させることによって、アクセス可能になる。図示されるように、靴構造６１０は、ミッドソール６１２及びクッションインサート６１４を含み、これらは、詳細に上述したミッドソール１２及びクッションインサート１４とほぼ同様であり得る。靴構造６１０は、ミッドソール６１２を収容及び支持するようになっているアッパー６４６及びアウトソール６４８を含んでいる。アウトソール６４８の部分６４８ａが、クッションインサート６１４を露出させるようにミッドソール６１２から離れて屈曲又は枢動させられるようになっているため、クッションインサート６１４の取り外し、交換、又は調節を行ってクッションインサート６１４が与える支持特性を変えることができる（図３５〜図３８を参照）。
【００４２】
図示された実施形態では、ミッドソール６１２は、クッションインサート６１４を収容するようになっている受け部を底面に画定している。図示された実施形態では、受け部の底面は、複数の丸い突出部６２６を含み、クッションインサート６１４の上面は、複数の対応する又は嵌まり合う丸い突出部６２４を含んでいる（図３７及び図３９を参照）。丸い突出部６２４及び６２６は、異なる支持／緩衝特性を与えるように形状又はサイズを変えることができる。その結果、クッションインサート６１４を取り外し、回転させ、ミッドソール６１２の受け部内に入れ直すことで、異なる支持特性を与えることができる。図３７及び図３８に示されるように、クッションインサート６１４は、ミッドソール６１２の対応する位置合わせ孔６４４に嵌まるように構成される支柱６３６を含み、これらは、上述の支柱３６及び位置合わせ孔４４とほぼ同様又は同一であり得る。位置合わせ構造が望まれる実施形態では、支柱６３６及び位置合わせ孔６４４を、適当な位置合わせを行うことが可能な基本的に任意の構造で置き換えてもよい。
【００４３】
アウトソール６４８の部分６４８ａは、クッションインサート６１４がミッドソール６１２の受け部に挿入されると、クッションインサート６１４の底面と係合してこれを支持するようになっている。例えば、靴構造６１０の前足部領域におけるアウトソール６４８のように、アウトソールは概して、クッションインサート６１４を覆ってクッションインサート６１４へのアクセスを遮断する。しかしながら、図３６及び図３７に示されるように、アウトソール６４８の部分６４８ａは、ミッドソール６１２から離れて屈曲又は枢動してクッションインサート６１４へのアクセスを提供する。アウトソール部分６４８ａが枢動して開くと、ミッドソール６１２の全体を靴構造６１０から取り外すことも着用者が靴を脱ぐこともなく、クッションインサート６１４を取り外し、回転させ、ミッドソール６１２に入れ直すことができる。図示された実施形態では、クッションインサート６１４を覆うか又は支持するアウトソール部分６４８ａのみが枢動するようになっている。代替的に、アウトソール６４８の全体がミッドソール６１２から離れて枢動又は他の方法で移動してもよい。
【００４４】
クッションインサート６１４がミッドソール６１２の受け部の所望の位置に挿入されると、部分６４８ａは、ミッドソール６１２に向かって閉じた非枢動位置に枢動する。アウトソール部分６４８ａは、例えば、アッパー６４６又はミッドソール６１２において非枢動位置で保持されるようになっている。図示された実施形態では、アウトソール部分６４８ａは、アッパー６４６において保持されるようになっている延長部６５６を含んでいる。延長部６５６は、靴紐孔６６２と一致するようになっている孔６６０を含むため、延長部６５６、したがってアウトソール部分６４８ａを、靴紐によってアッパー６４６に縛り付けることができる。この特定の保持構造は例示に過ぎない。保持が望まれる場合、上記構造を、スナップ又は面ファスナ（例えばＶｅｌｃｒｏ（登録商標））のような、アウトソールを閉位置に保持することが可能な基本的に任意の機構で置き換えることができる。
【００４５】
場合によっては、アウトソール部分６４８ａ又は延長部６５６は、開口６５８を含んでもよく、これを通して、アウトソール部分６４８ａが非枢動位置にあるときに、クッションインサート６１４を見ることができる（図３５を参照）。そのような実施形態では、クッションインサート６１４の位置及び／又は得られる支持特性のインジケータが、クッションインサート６１４の外面に印刷されていてもよく、開口６５８を通して見ることができてもよい。したがって、ユーザは、アウトソール部分６４８ａを開く必要も枢動させる必要もなく、クッションインサート６１４の位置が分かる。
【００４６】
第５の代替的な実施形態では、ソール構造７１０が、ミッドソール７１２と、図４０に示されるクッションインサート７１４ａ及び７１４ｂのような少なくとも１つのクッションインサートとを含んでいる。クッションインサート７１４ａ及び７１４ｂは、少なくとも１つの溝路を含み、その深さは、クッションインサートについて変わる。クッションインサート７１４ａ及び７１４ｂは、異なる支持／緩衝特性を与えるために、異なる向きにミッドソール７１２の各受け部に取り外し可能に嵌まるように構成されている。図示された実施形態のほぼ平面状の合わせ面の場合、クッションインサート７１４ａ及び７１４ｂは、クッションインサートの丸い突出部及び合わせ面の位置合わせに関係なく、基本的にいかなる向きにも回転させることができる。
【００４７】
図４０及び図４１に示されるように、ミッドソール７１２は、クッションインサート７１４ａ及び７１４ｂをそれぞれ収容するようになっている２つの受け部７１８ａ及び７１８ｂを画定している。受け部７１８ａは、ミッドソール７１２のヒール領域に位置付けられ、受け部７１８ｂは、ミッドソール７１２の前足部領域に位置付けられている。しかしながら、クッションインサートは、代替的又は付加的に、この構造が提供するタイプの調節性が望まれ得るソールの他の領域に位置決めされてもよい。図示された実施形態では、受け部７１８ａ及び７１８ｂは、ミッドソール７１２の底面の開口又は空隙として画定されるため、ミッドソール７１２は、上述のミッドソール１２と同様であり得る。しかしながら、受け部７１８ａ及び７１８ｂは、上記のミッドソール２１２及び４１２と同様に、ミッドソール７１２の上面に形成することもできる。
【００４８】
図示された実施形態では、クッションインサート７１４ａ及び７１４ｂのそれぞれの上面は、３つの溝路７６４、７６６、及び７６８を全体的に画定し、これらはそれぞれ、クッションインサートに沿って異なる点で深さが変わっている（図４２及び図４５〜図４７を参照）。クッションインサート７１４ａ及び７１４ｂの支持特性は、溝路の深さに応じて主に決まるため、クッションインサート７１４ａ及び７１４ｂ、したがって溝路を再位置決めすることで、クッションインサートの支持／緩衝特性が変わる。図４５に示されるように、図示された実施形態の溝路７６４、７６６、及び７６８は、クッションインサート７１４ａ及び７１４ｂの片側における全深さＢの溝路からクッションインサートの反対側の実質的により浅い深さＡの溝路まで均一なテーパを提供するように選択された向きで溝路を通って延びる１つの共通平面又は軸７７０ａ及び７７０ｂによって切断されている。図４６に示されるように、図４５に示される断面に対して垂直な線に沿ったクッションインサート７１４ａ及び７１４ｂの断面が、クッションインサートの幅にわたって均一な深さを有する溝路を示している。異なる用途では、切断平面は、所望の緩衝特性を与えるように適宜代替的な向きに配置され得る。さらに、溝路７６４、７６６、及び７６８は、（図４５及び図４６に示されるように）１つの共通平面によって切断される必要はなく、代替的に、クッションインサートの調節範囲を通して所望の緩衝／支持特性を与えるように、所望に応じた角度断面を通って切断するか又は他の方法で変えることができる。図示された実施形態は、切断された溝路を開示しているが、クッションインサートの調節性範囲を通して所望の支持／緩衝を与えるように、サイズ、形状、構成、及び材料のようなクッションインサート７１４ａ及び７１４ｂ又は溝路７６４、７６６、及び７６８の他の特性を変えることによって、調節性を与えることができる。
【００４９】
場合によっては、受け部内でのクッションインサートの位置合わせ及び／又は保持を助けるために、クッションインサート７１４ａ及び７１４ｂは、中央支柱７３６ａ及び７３６ｂの上方に嵌まるようになっている中央孔７４４ａ及び７４４ｂをそれぞれ画定し得る（図４０及び図４１を参照）。この第５の代替的な実施形態の中央孔及び中央支柱は、詳細に上述した実施形態の中央孔及び中央支柱とほぼ同様又は同一であり得る。代替的又は付加的に、受け部は、クッションインサート７１４ａの位置合わせを容易にするクッションインサートの溝に対応する延長部又はリブを含んでもよい。例えば、受け部７１８ａは、クッションインサート７１４ａの溝７３９ａに嵌まるようになっているリブ７３８ａを含んでもよい（図４１を参照）。
【００５０】
ユーザがクッションインサート７１４ａ及び７１４ｂの正確な向きを達成するのを助けるために、クッションインサートの底面は、グラフィック、印刷物、又は他の位置合わせインジケータを含んでいてもよい。例えば、図４３に示されるように、クッションインサート７１４ａ及び７１４ｂには、クッションインサートの許容可能な向きを示す複数の矢印が設けられている。場合によっては、クッションインサートは、位置合わせインジケータと協働してクッションインサートの向きの結果を視覚的に示す文章又は記号を含んでいてもよい。例えば、「回内」、「回外」、「標準」、及び「硬め」という言葉が、適当な（図示しない）位置合わせインジケータに隣接してクッションインサートに印刷されてもよい。
【００５１】
図４９〜図５６に示される第６の代替的な実施形態では、ミッドソール８１２及びクッションインサート８１４ａ又は８１４ｂを有する靴構造８１０が示されている。靴構造８１０は、ミッドソール８１２を収容及び支持するようになっているアッパー８４６及びアウトソール８４８を含んでいる。アウトソール８４８は、開口８７１を含み、これを通してクッションインサート８１４ａ又は８１４ｂにアクセスして、異なる支持／緩衝特性を与えるためにクッションインサートの向きを変えるように操作することができる。
【００５２】
ミッドソール８１２は、上記実施形態で説明したミッドソール１２、２１２、４１２、５１２、６１２、及び７１２のいずれかとほぼ同様であり得る。図示された実施形態では、ミッドソール８１２は、クッションインサート８１４ａ又は８１４ｂを収容するための受け部をその底面に含んでいる（図５０を参照）。
【００５３】
この実施形態のクッションインサートは、ミッドソール８１２の受け部内に位置決めされたまま、ミッドソール８１２に関して移動するようになっている。例えば、クッションインサートには、受け部の底面と係合しない上面が形成され得る。図示された実施形態の１つでは、クッションインサート８１４ａは、詳細に上述したクッションインサート７１４とほぼ同様である（図５１及び図５２を参照）。具体的には、クッションインサート８１４ａは、３つの溝路８６４、８６６、及び８６８を含み、溝路の深さはクッションインサートの異なる点で変わる。図４９に示されるように、溝路８６４、８６６、及び８６８は、溝路を通って延びる共通の平面又は軸８７０ａによって切断されている。クッションインサート７１４に関して上述したように、溝路８６４、８６６、及び８６８の深さが異なることで、所望の緩衝／支持特性を与えるようにクッションインサート８１４ａを選択的に位置決めすることができる。
【００５４】
図５３及び図５４に示されるように、代替的なクッションインサート８１４ｂは、様々なレベルの支持を与える異なる硬度及び／又は密度又は他の材料特性をそれぞれが有する少なくとも２つの異なる材料から形成されている。しかしながら、便宜上、これらの材料を含む層を、本明細書では「硬質層（harder layer）」８７４及び「軟質層（softer layer）」８７６と呼ぶことにする。図示された実施形態では、硬質層８７４は、ディスク形状のクッションインサート８１４ｂの半径方向外側領域及び下面を形成している。軟質層８７６は、クッションインサート８１４ｂの残りの部分を形成し、軟質層８７４の深さはクッションインサートについて変わる。図５４に示されるように、軟質層８７４の深さは、クッションインサートを硬質層８７４の領域及び軟質層８７６の領域に分割する共通の平面又は軸８７０ｂによって切断され得る。図示された実施形態では、軸８７０ｂは、クッションインサートの片側における軟質層８７６の浅い深さからクッションインサートの反対側におけるより深い深さまで均一なテーパを提供するように選択された向きに位置決めされている。軟質層８７６の深さが異なることで、所望の緩衝／支持特性を与えるように、クッションインサート８１４ｂを選択的に位置決めすることができる。硬質層８７４及び軟質層８７６が平面に沿って合わさるクッションインサート８１４ｂに関連して説明したが、合わせ面は、所望の緩衝特性を与えるように輪郭付けしてもよい。例えば、硬質層８７４及び軟質層８７６は、上述のミッドソール１２及びインサート１４の丸い突出部と同様の噛合う丸い突出部を含んでいてもよい。任意の適当な製造プロセスを用いて、クッションインサート８１４ｂの２つの材料構成を達成することができる。例えば、クッションインサート８１４ｂの異なる層を、別個に製造して互いに接着してもよく、マルチショットを用いて一体成形してもよく、又は圧縮成形してもよい。図示された実施形態では固定されているが、所望であれば、２つの層は別個のままであってもよい。これにより、ユーザが２つの層を別個に交換することが可能になる。所望であれば、交換層に異なる緩衝特性を与え、したがって、靴構造８１０をさらに調整するための機構を提供することができる。クッションインサート８１４ｂは、２つの層を有することが示されているが、所望であれば２つ以上の層を含んでいてもよい。
【００５５】
したがって、靴構造８１０は、クッションインサート８１４ａ及び８１４ｂのいずれかを含むことができ、これらはそれぞれ、ミッドソール８１２又はアウトソール８４８を靴構造８１０から取り外すことなく、ミッドソール８１２の受け部内で選択的に回転させるようになっている。受け部内でのクッションインサート８１４ａ及び８１４ｂの回転を容易にするために、アウトソール８４８に少なくとも１つの開口８７１が位置決めされて、クッションインサート８１４ａ又は８１４ｂの外面へのアクセスを提供する。図５５及び図５６に示されるように、アウトソール８４８は、靴構造８１０の各側に開口８７１を含むため、いずれかの開口を通してクッションインサート８１４ａ又は８１４ｂにアクセスして選択的に回転させることができる。図示された実施形態では、開口８７１は、ユーザの指がクッションインサートと係合することを可能にするようなサイズである。
【００５６】
場合によっては、クッションインサート８１４ａ又は８１４ｂの回転をさらに助けるために、クッションインサート８１４ａ及び８１４は、その半径方向外面に、ノッチ、溝、又は窪み８７２を画定してもよい（図５１、図５３、及び図５６を参照）。窪み８７２は、ユーザの指を受け止めるように形成されるため、クッションインサート８１４ａ又は８１４ｂを把持して回転させ易くすることができる。窪み８７２は、クッションインサート８１４ａ又は８１４ｂの半径方向面について等間隔に離間し得るため、クッションインサート８１４ａ又は８１４ｂの全調節性範囲を通して、開口８７１を通して少なくとも１つの窪みにアクセス可能である。
【００５７】
ミッドソール８１２の受け部内でクッションインサート８１４ａ又は８１４ｂの位置を維持するのを助けるために、クッションインサート８１４ａ及び８１４ｂは、中央支柱８３６の上方に嵌まるようになっている中央孔８４４ａ及び８４４ｂをそれぞれ画定し得る（図５０及び図５５を参照）。そのような構成では、クッションインサート８１４ａ及び８１４ｂは、中央支柱８３６を中心として回転するようになっている。中央孔８４４ａ及び８４４ｂ並びに中央支柱８３６は、上述の実施形態の中央孔及び中央支柱と他の点ではほぼ同様であり得る。
【００５８】
図示された実施形態は、広範囲の調節性を提供するが、交換可能なクッションインサートのセットを提供することによって、さらに大きな範囲を提供することができる。例えば、各対が異なる緩衝（例えば硬度）特性を有する２対のクッションインサートを有する履物製品を販売してもよい。例えば、１つのクッションインサートのセットは、アスカーＣ型で約３５〜４０の範囲のデュロメータ硬度を有することができ、第２のクッションインサートのセットは、アスカーＡ型で約３０〜４０の範囲のデュロメータ硬度を有することができる。本発明の精神から逸脱せずに、異なる硬度を有する他のクッションインサートを製造することもできる。異なる対の特性は、異なる対の厚さ、形状、又は材料を変えること等によって、基本的にいかなる方法で変えることもできる。図１１ｂは、クッションインサート１４よりも厚い厚さを有するクッションインサート１４’の図である。使用時には、クッションインサート１４の代わりにクッションインサート１４’を装着して、付加的な緩衝を提供することができる。
【００５９】
上記の説明は、本発明の現在の実施形態の説明である。添付の特許請求の範囲に規定される本発明の精神及び広範な態様から逸脱しない限り、種々の代替及び変更を行うことができ、添付の特許請求の範囲は均等論を含めた特許法の原則に従って解釈されるものとする。例えば、冠詞「a（１つの）」、「an（１つの）」、「the（その）」、又は「said（前記）」を用いて単数形で構成要件に言及している場合でも、その要件を単数に限定するものと解釈すべきではない。
【図面の簡単な説明】
【００６０】
【図１】本発明の一つの実施形態によるソール構造の上面図である。
【図２】ソール構造の底面図である。
【図３ａ】回外位置にあるクッションインサート及びヒールウェッジを断面で示す、ソール構造の側面図である。
【図３ｂ】回内位置にあるクッションインサート及びヒールウェッジを断面で示す、ソール構造の側面図である。
【図４ａ】クッションインサートが回外位置にある、図１の線ＩＶ−ＩＶに沿ったソール構造の断面図である。
【図４ｂ】クッションインサートが回内位置にあり、支持層が取り外されている、図１の線ＩＶ−ＩＶに沿ったソール構造の断面図である。
【図４ｃ】ソール構造の後部の部分断面図である。
【図５】クッションインサートを「回内」位置で示す、ソール構造の背面図である。
【図６】クッションインサートを「回外」位置で示す、ソール構造の背面図である。
【図７】クッションインサートを「硬め」位置で示す、ソール構造の背面図である。
【図８】クッションインサートを「標準」位置で示す、ソール構造の背面図である。
【図９ａ】クッションインサートの上面図である。
【図９ｂ】クッションインサートの底面図である。
【図１０ａ】図９ａの線Ｘａ−Ｘａに沿ったクッションインサートの断面図である。
【図１０ｂ】図９ｂの線Ｘｂ−Ｘｂに沿ったクッションインサートの断面図である。
【図１１ａ】互いに隣接する左側及び右側のクッションインサートを示す正面図である。
【図１１ｂ】図１１ａの左側クッションインサートよりも厚い厚さの代替的な左側のクッションインサートの正面図である。
【図１２】本発明の代替的な実施形態によるソール構造の上面図である。
【図１３】代替的なソール構造の中敷の上面図である。
【図１４】図１２の線ＸＩＶ−ＸＩＶに沿った代替的なソール構造の断面図である。
【図１５】図１２の線ＸＶ−ＸＶに沿った代替的なソール構造の部分断面図である。
【図１６】ヒールウェッジの側面図である。
【図１７】クッションインサートの上面図である。
【図１８ａ】回外位置にある図１〜図１１ｂのクッションインサート及びヒールウェッジを断面で示す、ソール構造の側面図である。
【図１８ｂ】回内位置にある図１〜図１１ｂのクッションインサート及びヒールウェッジを断面で示す、ソール構造の側面図である。
【図１８ｃ】図１〜図１１ｂのクッションインサートを「回内」位置で示す、ソール構造の背面図である。
【図１８ｄ】図１〜図１１ｂのクッションインサートが入れられる受け部を示す、ソール構造の上面図である。
【図１８ｅ】図１〜図１１ｂのクッションインサートの底面図である。
【図１９ａ】図１２〜図１７に示す実施形態によるソール構造の上面図である。
【図１９ｂ】クッションインサートが入れられる受け部の上面図である。
【図１９ｃ】図１２〜図１７に示すクッションインサートの上面図である。
【図１９ｄ】図１２〜図１７に示すクッションインサートの底面図である。
【図２０】第２の代替的な実施形態のソール構造の上面図である。
【図２１】第２の代替的な実施形態のソール構造の底面図である。
【図２２】第２の代替的な実施形態のソール構造の右側面図である。
【図２３】図２０の線ＸＸＩＩＩ−ＸＸＩＩＩに沿った第２の代替的な実施形態のソール構造の右側断面図である。
【図２４】図２０の線ＸＸＩＶ−ＸＸＩＶに沿った第２の代替的な実施形態のソール構造の背面断面図である。
【図２５ａ】第２の代替的な実施形態の右側のクッションインサートの上面図である。
【図２５ｂ】第２の代替的な実施形態の左側のクッションインサートの上面図である。
【図２６ａ】第２の代替的な実施形態の右側のクッションインサートの右側面図である。
【図２６ｂ】第２の代替的な実施形態の左側のクッションインサートの右側面図である。
【図２７】図２５ａの線ＸＸＶＩＩ−ＸＸＶＩＩに沿った右側のクッションインサートの断面図である。
【図２８】互いに隣接する左側及び右側のソール構造を示す断面図である。
【図２９ａ】クッションインサートを回内位置で示す、ソール構造の底面図である。
【図２９ｂ】クッションインサートを硬め位置で示す、ソール構造の底面図である。
【図３０ａ】クッションインサートを回外位置で示す、ソール構造の底面図である。
【図３０ｂ】クッションインサートを標準位置で示す、ソール構造の底面図である。
【図３１】第３の代替的な実施形態の靴構造の側断面図である。
【図３２】第３の代替的な実施形態のソールの側面図である。
【図３３】ソールの後部斜視図である。
【図３４】ソールの底面斜視図である。
【図３５】第４の代替的な実施形態の靴構造の側面図である。
【図３６】アウトソールを部分的に開位置に枢動させて示す、第４の代替的な実施形態の側面図である。
【図３７】アウトソールを開位置に枢動させ、クッションインサートをソールから取り外して示す、第４の代替的な実施形態の側面図である。
【図３８】線Ｘ−Ｘに沿った第４の代替的な実施形態の背面断面図である。
【図３９】クッションインサートの底面斜視図である。
【図４０】第５の代替的な実施形態のソール構造の底面斜視図である。
【図４１】クッションインサートを取り外して示す、第５の代替的な実施形態の底面斜視図である。
【図４２】第５の代替的な実施形態のクッションインサートの上面図である。
【図４３】クッションインサートの底面図である。
【図４４】クッションインサートの側面図である。
【図４５】線Ｙ−Ｙに沿ったクッションインサートの側断面図である。
【図４６】線Ｚ−Ｚに沿ったクッションインサートの側断面図である。
【図４７】クッションインサートの斜視図である。
【図４８】第５の代替的な実施形態の背面図である。
【図４９】第６の代替的な実施形態のソール構造を有する靴の側面図である。
【図５０】第６の代替的な実施形態の側断面図である。
【図５１】第６の代替的な実施形態によるクッションインサートの上面図である。
【図５２】線ＹＹ−ＹＹに沿った図５１のクッションインサートの側断面図である。
【図５３】第６の代替的な実施形態による代替的なクッションインサートの上面図である。
【図５４】線ＺＺ−ＺＺに沿った図５３の代替的なクッションインサートの側断面図である。
【図５５】線ＸＸ−ＸＸに沿ったソール構造及びクッションインサートの背面断面図である。
【図５６】第６の代替的な実施形態のソール構造及びクッションインサートの底面断面図である。
【図１】
0004891289.tif 000002
【図２】
0004891289.tif 000003
【図３ａ】
0004891289.tif 000004
【図３ｂ】
0004891289.tif 000005
【図４ａ】
0004891289.tif 000006
【図４ｂ】
0004891289.tif 000007
【図４ｃ】
0004891289.tif 000008
【図５】
0004891289.tif 000009
【図６】
0004891289.tif 000010
【図７】
0004891289.tif 000011
【図８】
0004891289.tif 000012
【図９ａ】
0004891289.tif 000013
【図９ｂ】
0004891289.tif 000014
【図１０ａ】
0004891289.tif 000015
【図１０ｂ】
0004891289.tif 000016
【図１１ａ】
0004891289.tif 000017
【図１１ｂ】
0004891289.tif 000018
【図１２】
0004891289.tif 000019
【図１３】
0004891289.tif 000020
【図１４】
0004891289.tif 000021
【図１５】
0004891289.tif 000022
【図１６】
0004891289.tif 000023
【図１７】
0004891289.tif 000024
【図１８ａ】
0004891289.tif 000025
【図１８ｂ】
0004891289.tif 000026
【図１８ｃ】
0004891289.tif 000027
【図１８ｄ】
0004891289.tif 000028
【図１８ｅ】
0004891289.tif 000029
【図１９ａ】
0004891289.tif 000030
【図１９ｂ】
0004891289.tif 000031
【図１９ｃ】
0004891289.tif 000032
【図１９ｄ】
0004891289.tif 000033
【図２０】
0004891289.tif 000034
【図２１】
0004891289.tif 000035
【図２２】
0004891289.tif 000036
【図２３】
0004891289.tif 000037
【図２４】
0004891289.tif 000038
【図２５ａ】
0004891289.tif 000039
【図２５ｂ】
0004891289.tif 000040
【図２６ａ】
0004891289.tif 000041
【図２６ｂ】
0004891289.tif 000042
【図２７】
0004891289.tif 000043
【図２８】
0004891289.tif 000044
【図２９ａ】
0004891289.tif 000045
【図２９ｂ】
0004891289.tif 000046
【図３０ａ】
0004891289.tif 000047
【図３０ｂ】
0004891289.tif 000048
【図３１】
0004891289.tif 000049
【図３２】
0004891289.tif 000050
【図３３】
0004891289.tif 000051
【図３４】
0004891289.tif 000052
【図３５】
0004891289.tif 000053
【図３６】
0004891289.tif 000054
【図３７】
0004891289.tif 000055
【図３８】
0004891289.tif 000056
【図３９】
0004891289.tif 000057
【図４０】
0004891289.tif 000058
【図４１】
0004891289.tif 000059
【図４２】
0004891289.tif 000060
【図４３】
0004891289.tif 000061
【図４４】
0004891289.tif 000062
【図４５】
0004891289.tif 000063
【図４６】
0004891289.tif 000064
【図４７】
0004891289.tif 000065
【図４８】
0004891289.tif 000066
【図４９】
0004891289.tif 000067
【図５０】
0004891289.tif 000068
【図５１】
0004891289.tif 000069
【図５２】
0004891289.tif 000070
【図５３】
0004891289.tif 000071
【図５４】
0004891289.tif 000072
【図５５】
0004891289.tif 000073
【図５６】
0004891289.tif 000074